【事件の表示】
　特願２００７−３２２８７２号「ダイヤモンドおよびダイヤモンド形状の宝飾品およびそのカット方法」拒絶査定不服審判事件〔平成２１年　７月　２日出願公開、特開２００９−１４２４５５号〕について、次のとおり審決する。
【結　論】
　本件審判の請求は、成り立たない。
【理　由】
Ｉ．手続の経緯
　本願は、平成１９年１２月１４日の出願であって、平成２３年　１月１４日付けで拒絶査定がなされ、これに対し、平成２３年　４月２７日に拒絶査定不服審判の請求がなされたものである。
　
II．本願発明
　本願の請求項１に係る発明（以下、「本願発明」という。）は、平成２２年　８月１０日付けの手続補正書により補正された特許請求の範囲の請求項１に記載された事項により特定される、以下のとおりのものである。
　
「ガードルと、ガードル上部にテーブルを備えたクラウンが形成され、ガードル下部にパビリオンを形成するラウンドブリリアンカットのダイヤモンドであって、
　キューレット角は９８．５度、パビリオン角は４０．７５度、上部クラウンの角度は、これはガードル近辺のダイヤモンドのチップ（割れ）に対する強度等も考慮して、１９．００度から２７．００度の間として、クラウンから入射した光が、テーブルに放射する場合と、テーブルから入射した光が、テーブルに放射する場合の他に、クラウンから入射した光が、反対側のクラウンから有効に放射するものとしたことを特徴としたダイヤモンド。」
　
III．引用刊行物の記載事項
（刊行物１）
　原査定の拒絶の理由に引用された、本願出願前に頒布された刊行物である特開２００２−１３６３１４号公報（以下、「刊行物１」という。）には、図面と共に次の事項が記載されている。
　
（ア）「上部にクラウン部とその下にパビリオン部とを有するダイヤモンドのカットデザインであって、
　パビリオン角ｐを45°以下で37.5°以上とするとともに、クラウン角ｃが
　−3.5×p＋163.6≧c≧−3.8333×p＋174.232
を満足する範囲にあることを特徴とする装飾用ダイヤモンドのカットデザイン。」（【請求項１】）
　
（イ）「【発明の属する技術分野】本発明はダイヤモンドおよび装身具のカットデザインに関し、特に従来のカットデザインよりも、質及びその量において、より輝きのあるダイヤモンドおよび装身具を提供できる新規なカットデザインに関するものである。
【従来の技術】ダイヤモンドを装飾に用いるためカットをして、輝いたダイヤモンドおよび装身具を得るために、５８面体を持つブリリアントカットをした装飾用ダイヤモンドおよび装身具を得ている。」（段落【０００１】〜【０００２】）
　
（ウ）「その輝きを増すカットデザインとして数学者トルコフスキーが提唱しＧＩＡシステムと呼ばれているものがあり、ＧＩＡシステムで理想的だとされているカットは、パビリオン角４０．７５度、クラウン角３４．５０度、テーブル径がガードル径対比５３％である。そのカットでは、本来美しさを基準として評価を受けるべきものが、原石からの歩留まり率が重要視されて計算されていた。」（段落【０００６】）
　
（エ）「本発明の装飾用ダイヤモンドのカットデザインは、上部にクラウン部とその下にパビリオン部とを有するダイヤモンドのカットデザインであって、クラウン面に入射してクラウン面から出射する光と、テーブル面に入射してクラウン面から出射する光と、クラウン面に入射してテーブル面から出射する光とが、ダイヤモンドのテーブル面から観察したときに同時に観察できるものである。そのために、本発明のカットデザインではパビリオン角ｐを45°以下で37.5°以上とするとともに、クラウン角ｃが
　−3.5×p＋163.6≧c≧−3.8333×p＋174.232
を満足する範囲にあることを特徴とする。」（段落【００１１】）
　
（オ）「【発明の実施の形態】本発明によるダイヤモンド１のカットデザインの外観図を図１に、その断面図を図２に示していて、図１（Ａ）は平面図、図１（Ｂ）は側面図、図１（Ｃ）は底面図である。ここで上面はテーブル面11であり、ガードル12よりも上部は略円錐台形をしたクラウン部で、テーブル面が円錐台の頂面を形成している。ガードル12よりも下部は略円錐形をしたパビリオン部でその頂点にキューレット13と呼ばれている部分がある。クラウン部の外周には通常８ヶのメインファセット14があり、テーブル外周とメインファセットとの間にスターファセット15が形成されているとともに、ガードル12とメインファセット14との間にアッパーガードルファセット16が形成されている。また、パビリオン部の外周には通常８ヶのメインファセット17が形成されているとともに、ガードルとメインファセットとの間にロワーガードルファセット18が形成されている。」（段落【００１９】）
　
（カ）「装身具に取り付けたダイヤモンドの観察は通常テーブル面に向かって行われる。図３に示すように、テーブル面に立てたｚ軸（中心線）上で、テーブル面11から、ある距離離れた位置（250〜300mm）にいる観察者30が観察できる光には、テーブル面11から入ってクラウン面14から出射した光（以下「t-to-c光」と呼ぶことがある）、クラウン面14から入ってテーブル面11から出射した光（以下「c-to-t光」と呼ぶことがある）、クラウン面14から入ってクラウン面14から出射した光（以下「c-to-c光」と呼ぶことがある）、テーブル面11から入ってテーブル面11から出射した光（以下「t-to-t光」と呼ぶことがある）、がある。」（段落【００３０】）
　
（キ）「本発明ではこのときに、図４に示すようにc-to-c光の焦点角がマイナス（−ｆ）となってテーブル面11の前（観察者側）で焦点を結ぶので、この光も観察者30に到達する。すなわち図３に示すように、ダイヤモンド１のテーブル面前方にある大きさをした光源20を置いたときに、光源20からの光のうち一方のクラウン面14（図３で上側のクラウン面）に入射した光が図５の光路を逆に進んでテーブル面11から出射してテーブル面11の前方にいる観察者30に到達する。同時に、光源20からの光のうち他方のクラウン面14（図３で下側のクラウン面）に入射した光が、図４の光路を逆に進んで、上側のクラウン面14から出射して、テーブル面11の前方にいる観察者30に同様に到達する。１カラットのダイヤモンドであっても、その直径すなわちガードル径は６．２５ｍｍと小さなものなので、図５のt-to-c光との焦点角（＋ｆ）と図４のc-to-c光の焦点角の絶対値が等しいときには、ダイヤモンド１で反射したt-to-c光とc-to-t光とc-to-c光とが平行になって観察者30に向かうので観察者からはこれら両方の光が一緒に観察されて、反射光の輝きが更に強くなる。この様子を図６に示している。このようにして、t-to-c光とc-to-t光とc-to-c光がともに観察者30に到達するので、輝きの大きなダイヤモンド１となる。」（段落【００３３】）
　
（ク）「c-to-c光、t-to-c光、c-to-t光の焦点角の一致
　c-to-c光、t-to-c光、c-to-t光の入射光と出射光とが交差する角度すなわち３焦点角が一致する場合にその輝きが強くなるのである。すなわち３焦点角が一致する場合に、同じ光源からダイヤモンドに入射したc-to-c光、t-to-c光、c-to-t光が同時に観察者のところに出射して来るので更に輝きが強くなる。
　これらの焦点角はクラウン角、パビリオン角によって変化する。焦点角とクラウン角との関係をパビリオン角ｐをパラメータとしてグラフに示したものが図１３であり、焦点角とパビリオン角との関係をクラウン角ｃをパラメータとしてグラフに示したものが図１４である（これらのグラフは波長396.8nm の紫色光（スペクトルＨ線）を用いている）。これらのグラフから明らかなように、t-to-c光とc-to-t光の焦点角はクラウン角、パビリオン角の増加とともに減少していき、これらの曲線はほぼ同じ位置にある。しかし、c-to-c光の焦点角はクラウン角、パビリオン角の増加とともに大きく増加している。これらの焦点角が一致するクラウン角、パビリオン角を持ったカットの時に輝きを増す。例えば、クラウン角29.5°、パビリオン角38°の時に３焦点角が一致して輝きを強め合うのである。これ以外にもクラウン角28.5°、パビリオン角38.25 °などのときに３焦点角が一致する。３焦点角が一致するクラウン角ｃとパビリオン角ｐの間には図１５に示すように、波長396.8nm の紫色光（スペクトルＨ線）を用いた場合に、近似的に
　ｃ＝−3.74167×ｐ＋171.6883………………（３）式
の関係があることがわかった。
　ダイヤモンドの観察は通常白色光を用いて行われる。白色光は、暗赤色光（759.4nm ）から紫色光（396.8nm ）までの波長の光が混ざったものなので、これらのいずれかの光で３焦点角が一致する場合に輝きを強め合うことになる。波長759.4nm の暗赤色光で３焦点角が一致するためにはクラウン角ｃとパビリオン角ｐの間には近似的に
　ｃ＝−3.75427×ｐ＋172.6166………………（４）式
の関係があり、この直線も図１５に示している。
　図１５で（３）の直線と（４）の直線に挟まれている領域にあるクラウン角ｃとパビリオン角ｐを持ったダイヤモンドは白色光のいずれかの光に対して一致した３焦点角を持つ。
　本発明のカットデザインを持ったダイヤモンドは後で述べるように入射光がダイヤモンド内部で分光する。そのために、上の（４）の直線に近い領域のクラウン角ｃとパビリオン角ｐを持っている場合、白色光を入射すると入射光のスペクトルが分光して赤色から紫色まで分光した色がダイヤモンドの観察面（テーブル面とクラウン面）に現れてくる。」（段落【００４８】〜【００５２】）
　
（ケ）「パビリオン角ｐとクラウン角ｃの範囲
　本発明において３焦点角の一致するクラウン角ｃとパビリオン角ｐは図１５の（３）と（４）の直線に囲まれた範囲にあるという関係にあるが、更にパビリオン角ｐは45°以下で37.5°以上であることが好ましい。
　パビリオン角ｐが45°の場合、入射光と反射光とは平行となっていて、３焦点角はいずれも0°で一致している。すなわち、観察者の方向から入射光がダイヤモンドに入射して、観察者の方向に出射する。」（段落【００５３】〜【００５４】）
　
（コ）「また、パビリオン角が37.5°未満になるとクラウンメインファセットの上部すなわちテーブルとの稜に近いところに入射した光がパビリオン面のキューレットに近いところからダイヤモンドの裏に漏れてしまう。逆に言うと、ダイヤモンドの＋ｚ軸方向にいる観察者に、クラウンメインファセットの上部から出てくる光がなくなってその部分が暗く見えてしまう。そのためにパビリオン角は37.5°以上は必要である。」（段落【００５６】）
　
（サ）「・・・テーブル面の大きさ
　本発明ではテーブル面を小さくして、クラウン面を大きくすることが好ましいものである。そこでテーブル面の直径ｔをガードル直径対比で0.60以下0.33以上とすることができるが、クラウン面を大きくするためにはテーブル面の直径を0.55以下0.38以上更に好ましくは0.50以下とするのがよい。図７〜１２に示すとともに、上で説明したように、本発明のカットデザインではc-to-c光が多いのでクラウン面を大きくするためにテーブル面の直径を従来のものよりも小さくしている。」（段落【００６２】）
　
（シ）上記記載事項（イ）及び（オ）に関連して、図１には、ダイヤモンドが「ラウンドブリリアントカット」である点が示されている。
　
　以上の記載事項及び図示内容から、刊行物１には、次の発明（以下、「引用発明」という。）が記載されている。
　
「ガードルと、ガードルの上部にテーブル面を備えたクラウン部を有し、ガードルの下部にパビリオン部を有するラウンドブリリアントカットのダイヤモンドであって、
　テーブル面に立てたｚ軸（中心線）上で、テーブル面から、ある距離離れた位置にいる観察者が観察できる光には、テーブル面から入ってクラウン面から出射した光、クラウン面から入ってテーブル面から出射した光、クラウン面から入ってクラウン面から出射した光、テーブル面から入ってテーブル面から出射した光、があり、
　クラウン面に入射してクラウン面から出射する光と、テーブル面に入射してクラウン面から出射する光と、クラウン面に入射してテーブル面から出射する光とが、ダイヤモンドのテーブル面から観察したときに同時に観察できるものであるために、パビリオン角ｐを45°以下で37.5°以上とするとともに、クラウン角ｃが
　−3.5×p＋163.6≧c≧−3.8333×p＋174.232
を満足する範囲にあり、クラウン面に入射してクラウン面から出射する光が多いダイヤモンド。」
　
IV．対比
　本願発明と引用発明とを対比すると、その意味、構造又は機能からみて、引用発明の「ラウンドブリリアントカットのダイヤモンド」は、本願発明の「ラウンドブリリアンカットのダイヤモンド」に相当し、以下同様に、「ガードルの上部」は「ガードル上部」に、「テーブル面」は「テーブル」に、「クラウン部」及び「クラウン面」は「クラウン」に、「有する」は「形成する」に、「ガードルの下部」は「ガードル下部」に、「パビリオン部」は「パビリオン」に、「クラウン角」は「上部クラウンの角度」に、「出射する」は「放射する」に、それぞれ相当する。
　また、引用発明では、「テーブル面に立てたｚ軸（中心線）上で、テーブル面から、ある距離離れた位置にいる観察者が観察できる光には、テーブル面から入ってクラウン面から出射した光、クラウン面から入ってテーブル面から出射した光、クラウン面から入ってクラウン面から出射した光、テーブル面から入ってテーブル面から出射した光、があり、
　クラウン面に入射してクラウン面から出射する光と、テーブル面に入射してクラウン面から出射する光と、クラウン面に入射してテーブル面から出射する光とが、ダイヤモンドのテーブル面から観察したときに同時に観察できるものであるために、パビリオン角ｐを45°以下で37.5°以上とするとともに、クラウン角ｃが
　−3.5×p＋163.6≧c≧−3.8333×p＋174.232
を満足する範囲にあり、クラウン面に入射してクラウン面から出射する光が多い」ものであるところ、上記記載事項（キ）を踏まえれば、引用発明は、本願発明の「クラウンから入射した光が、テーブルに放射する場合と、テーブルから入射した光が、テーブルに放射する場合の他に、クラウンから入射した光が、反対側のクラウンから有効に放射するものとした」との発明特定事項を有するといえる。
　
　そこで、本願発明の用語を用いて表現すると、両者は次の点で一致する。
（一致点）
「ガードルと、ガードル上部にテーブルを備えたクラウンが形成され、ガードル下部にパビリオンを形成するラウンドブリリアンカットのダイヤモンドであって、
　クラウンから入射した光が、テーブルに放射する場合と、テーブルから入射した光が、テーブルに放射する場合の他に、クラウンから入射した光が、反対側のクラウンから有効に放射するダイヤモンド。」
　
　そして、両者は次の点で相違する。
（相違点）
　キューレット角、パビリオン角及び上部クラウンの角度について、本願発明では、「キューレット角は９８．５度、パビリオン角は４０．７５度、上部クラウンの角度は、これはガードル近辺のダイヤモンドのチップ（割れ）に対する強度等も考慮して、１９．００度から２７．００度の間として」いるのに対し、引用発明では、「パビリオン角ｐを45°以下で37.5°以上とするとともに、クラウン角ｃが
　−3.5×p＋163.6≧c≧−3.8333×p＋174.232
を満足する範囲にあ」るとされているものの、これらの３つの角度について上記のような限定がなされていない点。
　
Ｖ．相違点の判断
　上記相違点について検討する。
　
　ラウンドブリリアンカットのダイヤモンドにおけるパビリオン角として、４０．７５度という数値は、極めて広く知られた値である（上記記載事項（ウ）を参照）。
　してみれば、パビリオン角の範囲を３７．５度以上４５度以下とする引用発明において、パビリオン角として４０．７５度という数値を選択することに格別の困難性は認められない。また、ラウンドブリリアンカットのダイヤモンドにおいて、パビリオン角を４０．７５度とした場合、キューレット角が９８．５度になることは幾何学的に自明な事項である。
　そして、引用発明では、「クラウン面に入射してクラウン面から出射する光と、テーブル面に入射してクラウン面から出射する光と、クラウン面に入射してテーブル面から出射する光とが、ダイヤモンドのテーブル面から観察したときに同時に観察できるものであるために、パビリオン角ｐを45°以下で37.5°以上とするとともに、クラウン角ｃが
　−3.5×p＋163.6≧c≧−3.8333×p＋174.232
を満足する範囲にあ」るとされているところ、パビリオン角を４０．７５度とした場合、上部クラウンの角度は１８．０２５度以上２０．９７５度以下となり、その数値範囲の３分の２以上が、相違点に係る本願発明の発明特定事項における数値範囲と重複する。
　よって、引用発明において、パビリオン角を４０．７５度として、相違点に係る本願補正発明の発明特定事項のようにすることは、当業者が容易に想到し得たことである。
　
　そして、本願発明による効果も、引用発明及び刊行物１に記載された技術事項から当業者が予測し得た程度のものであって、格別のものとはいえない。
　
VI．むすび
　以上のとおり、本願発明は、引用発明及び刊行物１に記載された技術事項に基いて、当業者が容易に発明をすることができたものであるから、特許法第２９条第２項の規定により、特許を受けることができない。
　
　よって、結論のとおり審決する。